(57)【要約】【課題】  複数の屋根作業用安全具が配設された傾斜屋根面での作業において、命綱未係止状態での安全性低下が防止できる屋根作業用安全棒を得、命綱未係止状態での安全性の確保を図る。【解決手段】  傾斜屋根面に固定され環状の安全索係止部を有する屋根作業用安全具に引っ掛けて使用する屋根作業用安全棒１００であって、棒本体２７と、この棒本体２７の一端に設けられるグリップ部２９と、棒本体２７の他端に設けられ先端３１ｃが棒本体２７の一端側へ曲げられて安全索係止部に引っ掛け可能となった鉤状のフック部３１と、フック部３１に始端３３ａが締結固定されるとともに終端３３ｂが自由端となる親綱３３とを設けた。【選択図】      図１
2005299112.tif 000002
【特許請求の範囲】
【請求項１】
傾斜屋根面に固定され環状の安全索係止部を有する屋根作業用安全具に引っ掛けて使用する屋根作業用安全棒であって、
棒本体と、
該棒本体の一端に設けられるグリップ部と、
前記棒本体の他端に設けられ先端が該棒本体の一端側へ曲げられて前記安全索係止部に引っ掛け可能となった鉤状のフック部と、
該フック部に始端が締結固定されるとともに終端が自由端となる親綱と、
を具備したことを特徴とする屋根作業用安全棒。
【請求項２】
前記親綱を環状に曲げて形成したループ部に終端を通して結ぶことで形成したこぶ部が前記親綱の所定間隔毎に複数設けられたことを特徴とする請求項１記載の屋根作業用安全棒。
【発明の詳細な説明】
【技術分野】
【０００１】
本発明は、命綱を係止するための安全索係止部が設けられた傾斜屋根面における作業者の安全を確保するために用いて好適な屋根作業用安全棒に関する。
【背景技術】
【０００２】
建物の屋根は、施工後の経年変化に応じてメンテナンスを行ったり、屋根施工後にアンテナの取付、交換作業を行う場合もある。この場合、屋根職人やアンテナ取付作業者が屋根に上って、資材の持ち上げや補修、取付、交換作業を行うのであるが、特に傾斜屋根面の場合は滑りやすく、高所作業であるため、作業者自体の身体確保に留意する必要がある。
【０００３】
一般に、上記の屋根上作業者は、命綱と称される安全索によって、身体の安全が確保される。例えば下記特許文献ｌには、瓦屋根頂部の棟瓦の下面に沿って、半円形状の安全金具本体を固定し、該安全金具本体の棟瓦の下面からの突出腕部に設けた把手に作業者の安全索を係止させる安全金具が提案されている。また、予め複数の安全具を傾斜屋根面の適所に固定しておくことで、以後の屋根作業時には、当該安全具により作業者の安全確保が可能となるようにした屋根作業用安全具及び安全構造も提案されている。
【特許文献１】特開平８−１３５０９６号公報
【発明の開示】
【発明が解決しようとする課題】
【０００４】
傾斜屋根面では、任意な作業領域で命綱が係止される必要がある。そのために、傾斜屋根面に所定の間隔で複数の屋根作業用安全具の配設された上記の安全構造も提案されている。ところが、命綱の長さは、作業性の点からも限界がある。また、この命綱を一つの屋根作業用安全具に係止した状態で、他の屋根作業用安全具に係止が可能となる間隔で複数の屋根作業用安全具を配設すれば、その数が膨大となり、コスト面でも現実的でなくなる。したがって、実際には、現在命綱を係止している安全索係止部から、他の安全索係止部へ命綱の掛け替えを行う際には、一旦係止中の現在の安全索係止部から命綱を外し、他の安全索係止部まで傾斜屋根面を昇って命綱を他の安全索係止部に係止しなければならなかった。そのため、例えば命綱を現在係止中の安全索係止部から外して他の安全索係止部へ掛け替えるまでの間に、命綱未係止状態が発生し、安全性の低下する空白時間が発生した。
【０００５】
本発明は上記状況に鑑みてなされたもので、複数の屋根作業用安全具が配設された傾斜屋根面での作業において、命綱未係止状態での安全性低下が防止できる屋根作業用安全棒を提供し、もって、命綱未係止状態での安全性の確保を図ることを目的とする。
【課題を解決するための手段】
【０００６】
次に、上記の課題を解決するための手段を、実施の形態に対応する図面を参照して説明する。
本発明の請求項１記載の屋根作業用安全棒１００は、傾斜屋根面２１に固定され環状の安全索係止部２３ａ（２５ａ）を有する屋根作業用安全具２３（２５）に引っ掛けて使用する屋根作業用安全棒１００であって、
棒本体２７と、
該棒本体２７の一端に設けられるグリップ部２９と、
前記棒本体２７の他端に設けられ先端３１ｃが該棒本体２７の一端側へ曲げられて前記安全索係止部２３ａ（２５ａ）に引っ掛け可能となった鉤状のフック部３１と、
該フック部３１に始端３３ａが締結固定されるとともに終端３３ｂが自由端となる親綱３３と、
を具備したことを特徴とする。
【０００７】
この屋根作業用安全棒１００では、安全索係止部２３ａ（２５ａ）が所定間隔で設けられた傾斜屋根面２１での作業中に、作業者４７が例えば他の作業場所へ移動するため、現在命綱４５を係止している安全索係止部２３ａ（２５ａ）から、他の安全索係止部２３ａ（２５ａ）へ命綱４５の掛け替えを行う際に、先ず、グリップ部２９が把持され、棒本体２７のフック部３１が他の安全索係止部２３ａ（２５ａ）に引っ掛けられる。作業者４７は、当該フック部３１に締結される親綱３３を把持するとともに、現在係止中の安全索係止部２３ａ（２５ａ）から命綱４５を外し、親綱３３を伝って他の安全索係止部２３ａ（２５ａ）の位置まで移動する。次いで、他の安全索係止部２３ａ（２５ａ）へ命綱４５を係止した後、フック部３１を外すことにより、命綱４５を係止する前の他の安全索係止部２３ａ（２５ａ）から予め支持をとることが可能となる。
【０００８】
本発明の請求項２記載の屋根作業用安全棒１００は、前記親綱３３を環状に曲げて形成したループ部に終端３３ｂを通して結ぶことで形成したこぶ部３３ｃが前記親綱３３の所定間隔毎に複数設けられたことを特徴とする。
【０００９】
この屋根作業用安全棒１００では、親綱３３を環状に曲げて形成したループ部にこの親綱３３の終端３３ｂが通されて結ばれることで、親綱３３の所望の位置で把持時に滑り止めとして働くこぶ部３３ｃが形成され、これが複数回繰り替えされることで、親綱３３の所定間隔毎に複数のこぶ部３３ｃが設けられ、親綱３３を使用した伝い昇りなどが容易かつ安全に行えるようになる。
【発明の効果】
【００１０】
本発明に係る屋根作業用安全棒によれば、安全索係止部に引っ掛け可能となった鉤状のフック部を棒本体の他端に設け、終端が自由端となる親綱の始端をこのフック部に締結したので、安全索係止部が所定間隔で設けられた傾斜屋根面での作業中に、例えば作業者が現在命綱を係止している安全索係止部から、他の安全索係止部へ命綱の掛け替えを行う際に、他の安全索係止部にフック部を引っ掛け、当該フック部に締結される親綱を把持することで、予め他の安全索係止部から支持をとることができる。この結果、命綱を現在係止中の安全索係止部から外して他の安全索係止部へ掛け替えるまでの間の命綱未係止状態における安全性を確保することができる。
【００１１】
また、本発明に係る屋根作業用安全棒によれば、親綱を環状に曲げて形成したループ部にこの親綱の終端を通して結ぶことで、こぶ部を親綱の所定間隔に複数設けたので、他の部材を用いず、親綱のみを用いて確実な滑り止めを複数設けることができ、製造コストを増大させずに、安全性を向上させることができる。
【発明を実施するための最良の形態】
【００１２】
以下、本発明に係る屋根作業用安全棒の好適な実施の形態を図面を参照して詳細に説明する。
図１は本発明に係る屋根作業用安全棒の斜視図、図２はスレート葺き屋根に設けられた屋根作業用安全具の斜視図、図３は瓦葺き屋根に設けられた屋根作業用安全具の斜視図である。
【００１３】
屋根作業用安全棒１００は、図２，図３に示す傾斜屋根面２１に固定され環状の安全索係止部２３ａ，２５ｂを有する屋根作業用安全具２３，２５に引っ掛けて使用される。
図２に示す安全具２３は、ステンレスなどの耐錆性のある所定厚みの金属板をプレス成形などによって一体成型した、全体として長板形状のものであり、取付部２３ｂが屋根下地材に固定される。また、係止部２３ａの中央には、安全索（命綱）先端のカラビナなどの係止具を掛止するための係止孔２３ｃがプレス打抜きなどによって開口されている。
【００１４】
一方、図３に示す安全具２５は、ステンレスなどの耐錆性のある所定厚みの金属板をプレス成形などによって一体成型した図示しない取付部を備え、この取付部が屋根下地材に固定される。また、取付部にはワイヤ２５ａの基端が締結され、ワイヤ２５ａの先端は中途部にカシメられてループ状の係止部２５ｂを形成している。なお、図２，図３に示した板状安全具２３，ワイヤ状安全具２５は例示であり、安全棒１００の使用対象となる安全具はこれらの構成のものに限定されるものではなく、少なくとも環状の係止部を備えるものであればよい。
【００１５】
図１に示すように、安全棒１００は、棒本体２７と、グリップ部２９と、フック部３１と、親綱３３とを主要部材として有している。
棒本体２７は、軽量で高強度を有し、しなやかな素材とするものであることが好ましく、例えば木（竹等）製、グラスファイバー製、中空のカーボンロッド製などとすることができる。棒本体２７は、安全棒１００の全長が例えば１５５０ｍｍ程度であるので、それよりも若干短い寸法となる。なお、軽量化を図るため、棒本体２７は、先端に向かって徐々に縮径した先細り形状であってもよい。
【００１６】
棒本体２７の一端にはグリップ部２９が設けられる。グリップ部２９は、棒本体２７に、ゴム、スポンジ等からなる滑り止めチューブを外挿して固着するものであってもよい。この他、棒本体２７に複数の滑り止め溝を形成したり、紐等を巻回することによって滑り止め部を形成するものであってもよい。
【００１７】
棒本体２７の先端となる他端には鉤状のフック部３１が設けられ、フック部３１は上記した安全具２３の係止部２３ａ又は安全具２５の係止部２５ｂに引っ掛け可能となっている。フック部３１は、フック本体部３１ａが棒本体２７の他端に固定される。フック本体部３１ａの基端には後述の親綱３３が締結される環部３１ｂが形成される。フック本体部３１ａの先端３１ｃは、先細りに形成され、かつ棒本体２７の一端側へＵ字状に曲げられて、上記の安全具２３の係止部２３ａ又は安全具２５の係止部２５ｂに引っ掛け可能となる。
【００１８】
このフック部３１は、例えば、フック本体部３１ａ、環部３１ｂ、先端３１ｃをアルミ一体成形によって作製することができる。この他、樹脂成形や鍛造によって作製されるものであってもよい。
【００１９】
フック部３１の環部３１ｂには親綱３３の始端３３ａが締結され、親綱３３の終端３３ｂは自由端となる。親綱３３の全長は、上記した安全棒１００の全長に対して例えば２０００ｍｍ程度とすることができる。なお、安全棒１００は、これら全ての構成部材を組付けた総重量が、７５０ｇ程度以下であることが、片手による作業性の面から好適となる。
【００２０】
親綱３３には複数のこぶ部３３ｃが設けられている。こぶ部３３ｃは、親綱３３を環状に曲げて形成したループ部に、終端３３ｂを通して結ぶことで形成される。これが複数回繰り替えされることで、親綱３３の所定間隔に複数のこぶ部３３ｃが設けられている。このこぶ部３３ｃ同士の間隔は、例えば３００ｍｍ程度とすることができる。このようなこぶ部３３ｃによれば、他の部材を用いず、親綱３３のみを用いて確実な滑り止めを複数設けることができ、製造コストを増大させずに、安全性を向上させることができる。
【００２１】
次に、上記の屋根作業用安全棒１００の作用を説明する。
図４は傾斜屋根面への梯子の固定状況を表した斜視図である。
傾斜屋根面２１上で作業を行うには、先ず、梯子４１が軒先に立てかけられる。梯子４１を昇った作業者は、傾斜屋根面２１の最下部にある例えば安全具２５に、梯子固定ロープ４３を係止する。
作業者は、その後、梯子４１の上部から傾斜屋根面２１へ昇り上がる。このとき、傾斜屋根面２１上の最も近い安全具２５の係止部２５ｂに命綱を係止するか、或いは、安全棒１００を用い、すなわち、梯子４１上から安全棒１００を屋根面２１の中程に位置する安全具２５にフック部３１を引っ掛け、その親綱３３を伝って昇り上がる。そして、屋根面２１へ上がった作業者は、フック部３１の引っ掛かっている安全具２５の係止部２５ａに命綱４５を係止する。なお、この命綱４５は、図５に示すように、作業者４７の腰に締めた専用バンド４９に基端が固定されている。
【００２２】
図５は屋根作業用安全棒を用いて他の安全索係止部へ移動する際の状況を表した説明図である。なお、図５においては図４と異なる安全具２３を例示（図示）するがその作用は安全具２５の場合と同様である。
安全具２３の係止部２３ａが所定間隔で設けられた傾斜屋根面２１での作業中に、作業者４７が例えば他の作業場所へ移動するため、現在命綱４５を係止している図５中右側の係止部２３ａから、図５中左側の他の係止部２３ａへ命綱４５の掛け替えを行う際には、先ず、グリップ部２９が把持され、棒本体２７のフック部３１が他の係止部２３ａに引っ掛けられる。
【００２３】
作業者４７は、当該フック部３１に締結される親綱３３のこぶ部３３ｃの直上を把持するとともに、現在係止中の係止部２３ａから命綱４５を外し、親綱３３を伝って他の係止部２３ａの位置まで移動する。
なお、この際、棒本体２７は、フック部３１を係止するためのものであり、登坂用の支持のためには使用しない。
次いで、他の係止部２３ａへ命綱４５を係止した後、安全棒１００のフック部３１を外す。これにより、命綱４５を係止する前の他の係止部２３ａから予め支持をとることが可能となる。
【００２４】
したがって、上記の屋根作業用安全棒１００によれば、係止部２３ａに引っ掛け可能となった鉤状のフック部３１を棒本体２７の他端に設け、終端３３ｂが自由端となる親綱３３の始端３３ａをこのフック部３１に締結したので、係止部２３ａが所定間隔で設けられた傾斜屋根面２１での作業中に、例えば作業者４７が現在命綱を係止している係止部２３ａから、他の係止部２３ａへ命綱４５の掛け替えを行う際に、他の係止部２３ａにフック部３１を引っ掛け、当該フック部３１に締結される親綱３３を把持することで、予め他の係止部２３ａから支持をとることができる。この結果、命綱４５を現在係止中の係止部２３ａから外して他の係止部２３ａへ掛け替えるまでの間の命綱未係止状態における安全性を確保することができる。
【００２５】
また、屋根上から地上に降りる際には、上記と逆の手順にて親綱３３を伝うことで、作業者４７は移動し、梯子４１にて降りる。
【００２６】
なお、この安全棒１００は、掛止部２３ａにフック部３１が引っ掛かったままで放置されれば、作業中に屋根より落下させてしまうことがないが、落下防止紐などを安全棒１００に取り付けて、作業者４７の身体の一部に連結させることとすれば、不用意に落下させることがなくなる。
【図面の簡単な説明】
【００２７】
【図１】本発明に係る屋根作業用安全棒の斜視図である。
【図２】スレート葺き屋根に設けられた屋根作業用安全具の斜視図である。
【図３】瓦葺き屋根に設けられた屋根作業用安全具の斜視図である。
【図４】傾斜屋根面への梯子の固定状況を表した斜視図である。
【図５】屋根作業用安全棒を用いて他の安全索係止部へ移動する際の状況を表した説明図である。
【符号の説明】
【００２８】
２１…傾斜屋根面
２３，２５…屋根作業用安全具
２３ａ，２５ｂ…環状の安全索係止部
２７…棒本体
２９…グリップ部
３１…フック部
３１ｃ…先端
３３…親綱
３３ａ…始端
３３ｂ…終端
３３ｃ…こぶ部
１００…屋根作業用安全棒
【図１】
2005299112.tif 000003
【図２】
2005299112.tif 000004
【図３】
2005299112.tif 000005
【図４】
2005299112.tif 000006
【図５】
2005299112.tif 000007